(57)【要約】【課題】プロフィール情報の交換相手を簡単確実に特定する。【解決手段】携帯端末間の直接無線通信により、プロフィール情報の交換を可能にするプロフィール情報交換システムは、ペリフェラルとして振る舞い、プロフィール情報交換サービスを提供する第１の携帯端末と、セントラルとして振る舞い、プロフィール情報交換サービスを利用する第２の携帯端末とを備える。第１利用者の第１の携帯端末におけるプロセッサは、独自のサービス識別コード及びランダム生成の識別コードを含むアドバタイジング信号を広告し、第１利用者のプロフィール情報に基づくランダム生成の識別コードに対応する二次元コードを第１の携帯端末の画面に表示する。第２利用者の第２の携帯端末におけるプロセッサは、第１の携帯端末において画面表示された二次元コードを読み取り、受信ランダム生成の識別コードとの一致を判定することにより、交換相手の第１の携帯端末を特定し、プロフィール情報を交換する。【選択図】図１
2018074202.tif 000002
【特許請求の範囲】
【請求項１】
外部の通信設備環境を介することなく、携帯端末間の直接無線通信により、端末利用者のプロフィール情報の交換を可能にするプロフィール情報交換システムであって；
プロフィール情報交換サービスを提供する第１の携帯端末と、前記プロフィール情報交換サービスを利用する第２の携帯端末とを備え；
第１利用者の前記第１の携帯端末におけるプロセッサは、独自のサービス識別コード及びランダム生成の識別コードを含む信号を広告し、前記第１利用者のプロフィール情報に基づく前記ランダム生成の識別コードに対応する二次元コードを前記第１の携帯端末の画面に表示し；
第２利用者の前記第２の携帯端末におけるプロセッサは、前記第１の携帯端末において画面表示された二次元コードを読み取り、受信した前記ランダム生成の識別コードとの一致を判定することにより、交換相手の前記第１の携帯端末を特定し、前記第２利用者のプロフィール情報と前記第１利用者のプロフィール情報とを交換する；
プロフィール情報交換システム。
【請求項２】
前記独自のサービス識別コードは、前記プロフィール情報交換サービスを特定するための予め定められた文字を部分的に含む、
請求項１記載のプロフィール情報交換システム。
【請求項３】
前記ランダム生成の識別コードは、前記プロフィール情報の文字列だけに対応するように乱数生成される、
請求項１または２記載のプロフィール情報交換システム。
【請求項４】
前記第１利用者のプロフィール情報及び前記第２利用者のプロフィール情報は、仕事用及びプライベート用に予め作成され、前記第１の携帯端末及び前記第２の携帯端末のアドレス帳にそれぞれ予め登録されている、
請求項１，２または３記載のプロフィール情報交換システム。
【請求項５】
前記プロフィール情報に画像データが含まれているときは、この画像データを圧縮処理して送信する、
請求項１，２，３または４記載のプロフィール情報交換システム。
【請求項６】
前記直接無線通信は、ＢＬＥ通信を含む近距離無線通信である、
請求項１，２，３，４または５記載のプロフィール情報交換システム。
【請求項７】
前記直接無線通信がＢＬＥ通信であるとき、
前記第１の携帯端末は、ペリフェラルとして振る舞い、プロフィール情報交換サービスを提供し、
前記第２の携帯端末は、セントラルとして振る舞い、前記プロフィール情報交換サービスを利用し、
前記信号は、前記独自のサービス識別コード及び前記ランダム生成の識別コードを含むアドバタイジング信号であり、
前記独自のサービス識別コード及び前記ランダム生成の識別コードは、普遍的固有識別コード（ＵＵＩＤ）である、
請求項１，２，３，４，５または６記載のプロフィール情報交換システム。
【請求項８】
外部の通信設備環境を介することなく、携帯端末間の直接無線通信により、端末利用者のプロフィール情報の交換を可能にするプロフィール情報交換システムにおいて、プロフィール情報交換サービスを提供する、第１利用者の第１の携帯端末におけるプロセッサに、独自のサービス識別コード及びランダム生成の識別コードを含む信号を広告させ、前記第１利用者のプロフィール情報に基づく前記ランダム生成の識別コードに対応する二次元コードを前記第１の携帯端末の画面に表示させ；
前記プロフィール情報交換システムにおいて、前記プロフィール情報交換サービスを利用する、第２利用者の第２の携帯端末におけるプロセッサに、前記第１の携帯端末において画面表示された二次元コードを読み取らせ、受信した前記ランダム生成の識別コードとの一致を判定させることにより、交換相手の前記第１の携帯端末を特定させ、前記第２利用者のプロフィール情報と前記第１利用者のプロフィール情報とを交換させる；
プロフィール情報交換プログラム。
【請求項９】
前記独自のサービス識別コードは、前記プロフィール情報交換サービスを特定するための予め定められた文字を部分的に含む、
請求項８記載のプロフィール情報交換プログラム。
【請求項１０】
前記ランダム生成の識別コードは、前記プロフィール情報の文字列だけに対応するように乱数生成される、
請求項８または９記載のプロフィール情報交換プログラム。
【請求項１１】
前記第１利用者のプロフィール情報及び前記第２利用者のプロフィール情報は、仕事用及びプライベート用に予め作成され、前記第１の携帯端末及び前記第２の携帯端末のアドレス帳にそれぞれ予め登録されている、
請求項８，９または１０記載のプロフィール情報交換プログラム。
【請求項１２】
前記プロフィール情報に画像データが含まれているときは、この画像データを圧縮処理して送信させる、
請求項８，９，１０または１１載のプロフィール情報交換プログラム。
【請求項１３】
前記直接無線通信は、ＢＬＥ通信を含む近距離無線通信である、
請求項８，９，１０，１１または１２記載のプロフィール情報交換プログラム。
【請求項１４】
前記直接無線通信がＢＬＥ通信であるとき、
前記第１の携帯端末は、ペリフェラルとして振る舞い、プロフィール情報交換サービスを提供し、
前記第２の携帯端末は、セントラルとして振る舞い、前記プロフィール情報交換サービスを利用し、
前記信号は、前記独自のサービス識別コード及び前記ランダム生成の識別コードを含むアドバタイジング信号であり、
前記独自のサービス識別コード及び前記ランダム生成の識別コードは、普遍的固有識別コード（ＵＵＩＤ）である、
請求項８，９，１０，１１，１２または１３記載のプロフィール情報交換プログラム。
【発明の詳細な説明】
【技術分野】
【０００１】
本発明は、プロフィール情報交換システムに関し、更には、プロフィール情報交換プログラムに関する。
【背景技術】
【０００２】
インターネット回線及び仲介サーバなどの外部の通信設備環境を介することなく、携帯端末間の近距離無線通信（直接無線通信）により、端末利用者のプロフィール情報（個人情報）の交換を可能にする技術が、数々提案されている（例えば、特許文献１，２参照）。
【０００３】
また、ＱＲコード（登録商標）などのイメージ形態の認証キーを用いて、利用者の携帯端末をテレビに登録する技術が提案されている（例えば、特許文献３参照）。
【先行技術文献】
【特許文献】
【０００４】
【特許文献１】特開２０１４−１７５６１号公報
【特許文献２】特開２０１４−１２０９４４号公報
【特許文献３】特開２０１４−１０８３３号公報
【発明の概要】
【発明が解決しようとする課題】
【０００５】
しかし、携帯端末間の直接無線通信により、端末利用者のプロフィール情報を交換する際に、プロフィール情報の交換相手を簡単かつ確実に特定する技術を提案するものは存在しない。
【０００６】
本発明の課題は、プロフィール情報の交換相手を簡単かつ確実に特定する技術を提供することにある。
【課題を解決するための手段】
【０００７】
上記課題を解決するために、本発明の一態様のプロフィール情報交換システムは、外部の通信設備環境を介することなく、携帯端末間の直接無線通信により、端末利用者のプロフィール情報の交換を可能にするプロフィール情報交換システムであって、プロフィール情報交換サービスを提供する第１の携帯端末と、前記プロフィール情報交換サービスを利用する第２の携帯端末とを備える。第１利用者の前記第１の携帯端末におけるプロセッサは、独自のサービス識別コード及びランダム生成の識別コードを含む信号を広告し、前記第１利用者のプロフィール情報に基づく前記ランダム生成の識別コードに対応する二次元コードを前記第１の携帯端末の画面に表示する。第２利用者の前記第２の携帯端末におけるプロセッサは、前記第１の携帯端末において画面表示された二次元コードを読み取り、受信した前記ランダム生成の識別コードとの一致を判定することにより、交換相手の前記第１の携帯端末を特定し、前記第２利用者のプロフィール情報と前記第１利用者のプロフィール情報とを交換する。
【０００８】
本発明の他の態様のプロフィール情報交換プログラムは、外部の通信設備環境を介することなく、携帯端末間の直接無線通信により、端末利用者のプロフィール情報の交換を可能にするプロフィール情報交換システムにおいて、プロフィール情報交換サービスを提供する、第１利用者の第１の携帯端末におけるプロセッサに、独自のサービス識別コード及びランダム生成の識別コードを含む信号を広告させ、前記第１利用者のプロフィール情報に基づく前記ランダム生成の識別コードに対応する二次元コードを前記第１の携帯端末の画面に表示させる。また、前記プロフィール情報交換システムにおいて、前記プロフィール情報交換サービスを利用する、第２利用者の第２の携帯端末におけるプロセッサに、前記第１の携帯端末において画面表示された二次元コードを読み取らせ、受信した前記ランダム生成の識別コードとの一致を判定させることにより、交換相手の前記第１の携帯端末を特定させ、前記第２利用者のプロフィール情報と前記第１利用者のプロフィール情報とを交換させる。
【０００９】
上記各態様において、前記独自のサービス識別コードは、前記プロフィール情報交換サービスを特定するための予め定められた文字を部分的に含む。前記ランダム生成の識別コードは、前記プロフィール情報の文字列だけに対応するように乱数生成される。
【００１０】
また、前記第１利用者のプロフィール情報及び前記第２利用者のプロフィール情報は、仕事用及びプライベート用に予め作成され、前記第１の携帯端末及び前記第２の携帯端末のアドレス帳にそれぞれ予め登録されている。
【００１１】
また、前記プロフィール情報に画像データが含まれているときは、この画像データを圧縮処理して送信させる。さらに、前記直接無線通信は、ＢＬＥ通信を含む近距離無線通信である。前記直接無線通信がＢＬＥ通信であるとき、前記第１の携帯端末は、ペリフェラルとして振る舞い、プロフィール情報交換サービスを提供し、前記第２の携帯端末は、セントラルとして振る舞い、前記プロフィール情報交換サービスを利用し、前記信号は、前記独自のサービス識別コード及び前記ランダム生成の識別コードを含むアドバタイジング信号であり、前記独自のサービス識別コード及び前記ランダム生成の識別コードは、普遍的固有識別コード（ＵＵＩＤ）である。
【発明の効果】
【００１２】
開示した技術によれば、二次元コードを読み取られた第１の携帯端末と、二次元コードを読み取った第２の携帯端末とが互いに交換対象となるので、プロフィール情報を交換する際に、プロフィール情報の交換相手を簡単かつ確実に特定することができる。
【００１３】
また、開示した技術によれば、第１の携帯端末及び第２の携帯端末間の事前ペアリング設定を要することなく、プロフィール情報を交換することができる。
【００１４】
他の課題、特徴及び利点は、図面及び特許請求の範囲とともに取り上げられる際に、以下に記載される発明を実施するための形態を読むことにより明らかになるであろう。
【図面の簡単な説明】
【００１５】
【図１】一実施の形態のプロフィール情報交換システムを説明するための図。
【図２】一実施の形態の携帯端末の構成を示すブロック図。
【図３Ａ】一実施の形態の第１の携帯端末におけるプロフィール情報交換処理を説明するためのフローチャート。
【図３Ｂ】一実施の形態の第２の携帯端末におけるプロフィール情報交換処理を説明するためのフローチャート。
【図４】一実施の形態の携帯端末における交換相手の仕事用プロフィール情報の表示例を説明するための図。
【発明を実施するための形態】
【００１６】
以下、添付図面を参照して、さらに詳細に説明する。図面には好ましい実施形態が示されている。しかし、多くの異なる形態で実施されることが可能であり、本明細書に記載される実施形態に限定されない。
【００１７】
［プロフィール情報交換システム］
一実施の形態におけるシステムを示す図１を参照すると、プロフィール情報交換システム１は、第１の携帯端末１０Ａ及び第２の携帯端末１０Ｂを備える。このプロフィール情報交換システム１においては、インターネット回線及び仲介サーバなどの外部の通信設備環境を介することなく、携帯端末間の直接無線通信により、端末利用者のプロフィール情報の交換を可能にする。
【００１８】
このプロフィール情報交換システム１において利用される携帯端末間の直接無線通信は、ブルートゥース（登録商標）の拡張仕様であるＢＬＥ（Bluetooth Low Energy）に則る通信（限定を要しないときは、単にＢＬＥ通信と記載する）を含む近距離無線通信である。ＢＬＥ通信においては、例えば、携帯端末のＯＳ（Operating System）からの指示を受けることなく、アプリケーションが必要な処理を低消費電力で実行できる利点がある。拡張仕様前のブルートゥース通信、赤外線通信、及びＮＦＣ（Near Field Communication）などの他の近距離無線通信が通信データサイズ（データ量）などの実施条件に応じて利用されてもよい。
【００１９】
このプロフィール情報交換システム１において利用される端末利用者のプロフィール情報は、氏名、会社名、所属部署、住所、連絡先、及び誕生日などの個人情報を含む。また、プロフィール情報は端末利用者の顔画像を含んでもよい。このようなプロフィール情報は、端末利用者によって仕事用及びプライベート用に予め作成され、第１の携帯端末１０Ａ及び第２の携帯端末１０Ｂのアドレス帳（または電話帳）に予め登録される。
【００２０】
直接無線通信としてＢＬＥ通信を利用するこのプロフィール情報交換システム１においては、第１の携帯端末１０Ａは、ペリフェラル（周辺装置（peripheral））として振る舞う機能を有し、後に詳述するプロフィール情報交換サービスを提供する。また、第２の携帯端末１０Ｂは、セントラル（中央装置（central））として振る舞う機能を有し、プロフィール情報交換サービスを利用する。
【００２１】
第１の携帯端末１０Ａ及び第２の携帯端末１０Ｂは、カメラ付きの携帯端末であり、例えば、スマートフォンにより実現されるが、ノートブックパーソナルコンピュータまたはタブレット型端末などであってもよい。
【００２２】
［携帯端末］
図２は、図１に示すプロフィール情報交換システム１における第１の携帯端末１０Ａ及び第２の携帯端末１０Ｂ（限定を要しないときは、単に携帯端末１０と記載する）の構成を示す。
【００２３】
この携帯端末１０は、スマートフォンである場合、各機能を遂行するために、ハードウェア構成として、次の要素を含んでいる。つまり、制御機能部は、プロセッサ（ＣＰＵ：Central Processing Unit）１１と、作業用メモリとしてのＲＡＭ（Random Access Memory）１２と、立ち上げのためのブートプログラムを格納したＲＯＭ（Read Only Memory）１３とを備える。
【００２４】
通信機能部は、アンテナ１４と、近距離無線通信部１５と、マイクロホン、スピーカ及びイヤレシーバを含むオーディオ入出力部（図示省略）と、ＧＰＳ（全地球測位システム：Global Positioning System）受信機（図示省略）とを備える。
【００２５】
情報表示・入力・指定機能部は、ディスプレイ（ＬＣＤ：Liquid Crystal Display）及びタッチパッドを含むタッチパネル（タッチスクリーン）１６を備える。また、撮像機能部はカメラ１７を備える。
【００２６】
さらに、情報保持機能部は、ＯＳ、プロフィール情報交換プログラムなどの各種アプリケーションプログラム、及び各種情報（データを含む）を書換え可能に保存する不揮発性のフラッシュメモリ１８を固定的または着脱可能に備える。このフラッシュメモリ１８には、自己及び通信対象者（交換相手）の仕事用・プライベート用のプロフィール情報を保存するためのアドレス帳（または電話帳）１９が記憶されている。
【００２７】
後に詳述するプロフィール情報交換サービス機能を論理的に実現するには、携帯端末１０において、情報保持機能部のフラッシュメモリ１８にプロフィール情報交換プログラムをアプリケーションプログラムとしてインストールしておくことにより、利用者からの要求を契機に、プロセッサ１１がこのプロフィール情報交換プログラムをＲＡＭ１２に展開して実行する。
【００２８】
プロセッサ１１は、プロフィール情報交換プログラムを実行することにより、制御機能部、通信機能部、情報表示・入力・保持機能部、撮像機能部、及び情報保持機能部などの上記ハードウェア構成要素と連携して、後述のプロフィール情報交換処理を遂行する。
【００２９】
［プロフィール情報交換サービス］
次に、図１及び図２に示す一実施の形態のプロフィール情報交換システム１、第１の携帯端末１０Ａ、及び第２の携帯端末１０Ｂにおける動作例について、図３Ａ、図３Ｂ及び図４を併せ参照して説明する。
【００３０】
携帯端末間の直接無線通信としてＢＬＥ通信を利用する一実施の形態のプロフィール情報交換システム１においては、第１の携帯端末１０Ａの利用者Ａ及び第２の携帯端末１０Ｂの利用者Ｂが互いのプロフィール情報の交換を意図したとき、第１の携帯端末１０Ａの利用者Ａが主導して、プロフィール情報を交換する処理を例示する。
【００３１】
利用者Ａが主導する場合、第１の携帯端末１０Ａは、自己の存在を周囲に通知するために後に詳述するアドバタイジング信号をアドバタイズ（広告）する、ペリフェラルとして振る舞って、プロフィール情報交換サービスを提供する。また、第２の携帯端末１０Ｂは、ペリフェラルの存在をスキャン（走査）し、広告されたアドバタイジング信号に基づいてペリフェラルを検出する、セントラルとして振る舞って、プロフィール情報交換サービスを利用する。
【００３２】
［事前処理１］第１の携帯端末１０Ａの利用者Ａ及び第２の携帯端末１０Ｂの利用者Ｂは、タッチパネル１６上の表示メニュー（アイコン）「プロフィール情報作成」をタッチ（指定と記載することもある）操作し、顔画像、氏名、会社名、所属部署、住所、連絡先、及び誕生日などの個人情報を選択的に含むプロフィール情報を仕事用及びプライベート用に予め作成し、第１の携帯端末１０Ａ及び第２の携帯端末１０Ｂのアドレス帳１９にそれぞれ予め登録しておく。
【００３３】
［事前処理２］また、第１の携帯端末１０Ａの利用者Ａは、タッチパネル１６上の表示メニュー「サービス識別コード作成」を指定し、独自のサービス識別コード（単に、独自のサービスＩＤと記載することもある）を予め生成し、第１の携帯端末１０Ａのフラッシュメモリ１８に予め登録しておく。
【００３４】
なお、第２の携帯端末１０Ｂの利用者Ｂが、同様に、独自のサービスＩＤを予め生成し、第２の携帯端末１０Ｂのフラッシュメモリ１８に予め登録しておいてもよい。第２の携帯端末１０Ｂに予め登録されている独自のサービスＩＤは、利用者Ｂがプロフィール情報の交換を主導するときは利用されるが、利用者Ａが主導するプロフィール情報の交換においては利用されない。
【００３５】
第１の携帯端末１０Ａの利用者Ａ及び第２の携帯端末１０Ｂの利用者Ｂにより生成される独自のサービスＩＤは、互いに異なるが、プロフィール情報交換サービスを共通的に特定するための同一の予め定められた文字を部分的に含む。第１の携帯端末１０Ａ及び第２の携帯端末１０Ｂにおいて互いに異なる独自のサービスＩＤを生成するためには、時刻情報（年／月／日、時：分：秒）及び地理的位置情報（経度、緯度）に基づく手法を採ることができる。現在時刻を表す時刻情報は標準時刻及び通算秒（積算秒）のいずれかを適用可能である。ＧＰＳ利用により、第１の携帯端末１０Ａまたは第２の携帯端末１０Ｂが所在する地理的位置情報を取得可能である。
【００３６】
［プロフィール情報交換処理］第１の携帯端末１０Ａの利用者Ａ及び第２の携帯端末１０Ｂの利用者Ｂが、タッチパネル１６上の表示メニュー「プロフィール情報交換」をそれぞれ指定すると、第１の携帯端末１０Ａ及び第２の携帯端末１０Ｂにおいては、この指定を契機に、プロセッサ１１がプロフィール情報交換プログラムをＲＡＭ１２に展開して、プロフィール情報交換処理をそれぞれ開始する（図３Ａ及び図３Ｂ参照）。なお、以下のプロフィール情報交換処理はプロセッサ１１により実行されるので、不明確にならない限り、処理の主体の説明を省略する。
【００３７】
［処理Ａ１］第１の携帯端末１０Ａにおいては、利用者Ａがタッチパネル１６上の表示メニュー「プロフィール情報選択」を指定した後に、選択した自己の仕事用のプロフィール情報がアドレス帳１９から取得される。取得された利用者Ａの仕事用のプロフィール情報は、後の処理に利用するためにＲＡＭ１２に一時的に記憶される。
【００３８】
［処理Ｂ１］第２の携帯端末１０Ｂにおいては、利用者Ｂがタッチパネル１６上の表示メニュー「プロフィール情報選択」を指定した後に、選択した自己の仕事用のプロフィール情報がアドレス帳１９から取得される。取得された利用者Ｂの仕事用のプロフィール情報は、後の処理に利用するためにＲＡＭ１２に一時的に記憶される。
【００３９】
［処理Ａ２］第１の携帯端末１０Ａにおいては、処理Ａ１で取得された利用者Ａの仕事用のプロフィール情報に基づいて、ランダム生成の識別コード（単に、ランダム生成ＩＤと記載することもある）を乱数生成し、後の処理に利用するためにＲＡＭ１２に一時的に記憶する。このランダム生成の識別コードは毎回異なったものが生成される。また、ここで乱数生成されたランダム生成の識別コードは、利用者Ａの仕事用のプロフィール情報の文字列に対応する。つまり、利用者Ａの仕事用のプロフィール情報に画像データが含まれていてもランダム生成の識別コードの生成対象にしないことにより、通信データサイズ（データ量）の抑制を図っている。利用者Ａの仕事用のプロフィール情報に含まれている文字列及び画像データの判別は、既存技術により可能である。
【００４０】
［処理Ａ３］第１の携帯端末１０Ａにおいては、処理Ａ２で乱数生成されたランダム生成ＩＤに対応する二次元コードとしてＱＲコードを生成してタッチパネル１６に表示（画面表示）する。
【００４１】
［処理Ａ４］第１の携帯端末１０Ａにおいては、独自のサービスＩＤ及びランダム生成ＩＤを含むパケット形態のアドバタイジング信号を生成し、このアドバタイジング信号を発信することにより、広告する。ここで、独自のサービスＩＤは上述した事前処理２によりフラッシュメモリ１８に予め登録され、ランダム生成ＩＤは上述した処理Ａ２によりＲＡＭ１２に一時的に記憶されている。
【００４２】
［処理Ｂ２］第２の携帯端末１０Ｂにおいては、独自のサービスＩＤを走査することにより、ペリフェラルとしての第１の携帯端末１０Ａを検出する。
【００４３】
厳密には、第２の携帯端末１０Ｂにおいては、第１の携帯端末１０Ａから発信されたアドバタイジング信号を受信し、この信号に含まれている独自のサービスＩＤに基づいてプロフィール情報交換サービスを特定するための予め定められた文字を検出する。
【００４４】
［処理Ｂ３］第２の携帯端末１０Ｂにおいては、第１の携帯端末１０Ａのタッチパネル１６に表示され、かつランダム生成ＩＤの文字列に対応するＱＲコードを内蔵カメラ１７で読み取ることにより、通信対象（交換相手）を特定する。
【００４５】
厳密には、第２の携帯端末１０Ｂにおいては、第１の携帯端末１０Ａから受信したアドバタイジング信号に含まれるランダム生成ＩＤと、読み取ったＱＲコードとが同一であるか判定する。そして、ランダム生成ＩＤとＱＲコードとの内容の一致を判定することにより、通信対象を第１の携帯端末１０Ａと特定する。
【００４６】
［処理Ｂ４］第２の携帯端末１０Ｂにおいては、通信対象を第１の携帯端末１０Ａと特定したときは、第１の携帯端末１０Ａとの間の直接無線接続を確立し、近距離無線通信部１５により利用者Ｂの仕事用のプロフィール情報を送信する。ここで送信される利用者Ｂの仕事用のプロフィール情報は画像データを含む。
【００４７】
［処理Ａ５］第１の携帯端末１０Ａにおいては、利用者Ｂの仕事用のプロフィール情報を受信したとき、受信した利用者Ｂの仕事用のプロフィール情報をアドレス帳１９に保存するとともに、タッチパネル１６に表示する（図４参照）。また、第１の携帯端末１０Ａにおいては、近距離無線通信部１５により利用者Ａの仕事用のプロフィール情報を第２の携帯端末１０Ｂに送信する。ここで送信される利用者Ａの仕事用のプロフィール情報は画像データを含む。
【００４８】
［処理Ｂ５］第２の携帯端末１０Ｂにおいては、利用者Ａの仕事用のプロフィール情報を受信したとき、受信した利用者Ａの仕事用のプロフィール情報をアドレス帳１９に保存するとともに、タッチパネル１６に表示する（図４参照）。
【００４９】
上述した一連の処理により、第１の携帯端末１０Ａ及び第２の携帯端末１０Ｂ間の仕事用のプロフィール情報の交換が完了し、プロフィール情報交換処理を終了する。
【００５０】
［一実施の形態の変形例］
上述したプロフィール情報交換処理の処理Ｂ４及び処理Ａ５において、プロフィール情報に画像データ（利用者の顔画像データ）が含まれているので、画像データを圧縮処理して送信してもよい。
【００５１】
上述した一実施の形態の動作説明においては、第１の携帯端末１０Ａをプロフィール情報交換サービスの提供側とし、第２の携帯端末１０Ｂをプロフィール情報交換サービスの利用側としたが、これらの携帯端末１０Ａ，１０Ｂのそれぞれは、双方の機能を備える構成において実施可能である。
【００５２】
携帯端末間の直接無線通信にＢＬＥ通信を適用する場合、パケット形態のアドバタイジング信号に含まれる独自のサービスＩＤ（独自のサービス識別コード）及びランダム生成ＩＤ（ランダム生成の識別コード）は、普遍的固有識別コード（ＵＵＩＤ：Universally Unique Identifier）を採用可能である。このＵＵＩＤは１２８ビット（１６バイト）の内の１２２ビットを固有の識別情報に利用可能である。パケット形態のアドバタイジング信号の詳細フォーマットについては、Ｂｌｕｅｔｏｏｔｈ  ＳＩＧ（Special Interest Group）の公示文書を参照可能である。
【００５３】
上述した一実施の形態におけるプロフィール情報交換システム１においては、二次元コードのマトリックス方式の一種であるＱＲコードを利用したが、縦及び横の二方向に情報を持ち、記録できる情報量が多ければ、他の二次元コードであるスタックドバーコード方式などの他のマトリックス方式を利用することも可能である。
【００５４】
［一実施の形態の効果］
携帯端末間の直接無線通信としてＢＬＥ通信を利用する一実施の形態のプロフィール情報交換システム１においては、ペリフェラルとして振る舞い、プロフィール情報交換サービスを提供する第１の携帯端末１０Ａと、セントラルとして振る舞い、プロフィール情報交換サービスを利用する第２の携帯端末１０Ｂとを備える。利用者Ａの第１の携帯端末１０Ａにおいては、独自のサービスＩＤ（独自のサービス識別コード）及びランダム生成ＩＤ（ランダム生成の識別コード）を含むアドバタイジング信号を広告し、利用者Ａのプロフィール情報に基づくランダム生成ＩＤに対応するＱＲコードを表示する。利用者Ｂの第２の携帯端末１０Ｂにおいては、第１の携帯端末１０Ａにおいて表示されたＱＲコードを読み取り、受信したランダム生成ＩＤとの一致を判定することにより、通信対象（交換相手）の第１の携帯端末１０Ａを特定し、プロフィール情報を交換する。
【００５５】
これにより、第１の携帯端末１０Ａ及び第２の携帯端末１０Ｂ間の事前ペアリング設定を要することなく、プロフィール情報を交換することができる。
【００５６】
また、ＱＲコードを読み取られた第１の携帯端末１０Ａと、ＱＲコードを読み取った第２の携帯端末１０Ｂとが互いに交換対象となるので、プロフィール情報を交換する際に、プロフィール情報の交換相手を簡単かつ確実に特定することができる。
【００５７】
［その他の変形例］
上述した一実施の形態における処理はコンピュータで実行可能なプログラムとして提供され、ＣＤ−ＲＯＭやフレキシブルディスクなどの非一時的コンピュータ可読記録媒体、さらには通信回線を経て提供可能である。
【００５８】
また、上述した一実施の形態における各処理はその任意の複数または全てを選択し組合せて実施することもできる。
【符号の説明】
【００５９】
１      プロフィール情報交換システム
１０    携帯端末
１０Ａ  第１の携帯端末
１０Ｂ  第２の携帯端末
１１    プロセッサ
１５    近距離無線通信部
１６    タッチパネル
１７    カメラ
１９    アドレス帳
【図１】
2018074202.tif 000003
【図２】
2018074202.tif 000004
【図３Ａ】
2018074202.tif 000005
【図３Ｂ】
2018074202.tif 000006
【図４】
2018074202.tif 000007
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
外部の通信設備環境を介することなく、携帯端末間の直接無線通信により、端末利用者のプロフィール情報の交換を可能にするプロフィール情報交換システムであって；
プロフィール情報交換サービスを提供する第１の携帯端末と、前記プロフィール情報交換サービスを利用する第２の携帯端末とを備え；
第１利用者の前記第１の携帯端末におけるプロセッサは、独自のサービス識別コードと、前記第１利用者のプロフィール情報に基づくランダム生成の識別コードとの双方を含む信号を広告し、前記第１利用者のプロフィール情報に基づく前記ランダム生成の識別コードに対応する二次元コードを前記第１の携帯端末の画面に表示し；
第２利用者の前記第２の携帯端末におけるプロセッサは、前記第１の携帯端末において画面表示された二次元コードを読み取り、受信した前記ランダム生成の識別コードとの一致を判定することにより、交換相手の前記第１の携帯端末を特定し、前記第２利用者のプロフィール情報と前記第１利用者のプロフィール情報とを交換する；
プロフィール情報交換システム。
【請求項２】
前記独自のサービス識別コードは、前記プロフィール情報交換サービスを特定するための予め定められた文字を部分的に含む、
請求項１記載のプロフィール情報交換システム。
【請求項３】
前記ランダム生成の識別コードは、前記プロフィール情報の文字列だけに対応するように乱数生成される、
請求項１または２記載のプロフィール情報交換システム。
【請求項４】
前記第１利用者のプロフィール情報及び前記第２利用者のプロフィール情報は、仕事用及びプライベート用に予め作成され、前記第１の携帯端末及び前記第２の携帯端末のアドレス帳にそれぞれ予め登録されている、
請求項１，２または３記載のプロフィール情報交換システム。
【請求項５】
前記プロフィール情報に画像データが含まれているときは、この画像データを圧縮処理して送信する、
請求項１，２，３または４記載のプロフィール情報交換システム。
【請求項６】
前記直接無線通信は、ＢＬＥ通信を含む近距離無線通信である、
請求項１，２，３，４または５記載のプロフィール情報交換システム。
【請求項７】
前記直接無線通信がＢＬＥ通信であるとき、
前記第１の携帯端末は、ペリフェラルとして振る舞い、プロフィール情報交換サービスを提供し、
前記第２の携帯端末は、セントラルとして振る舞い、前記プロフィール情報交換サービスを利用し、
前記信号は、前記独自のサービス識別コード及び前記ランダム生成の識別コードを含むアドバタイジング信号であり、
前記独自のサービス識別コード及び前記ランダム生成の識別コードは、普遍的固有識別コード（ＵＵＩＤ）である、
請求項１，２，３，４，５または６記載のプロフィール情報交換システム。
【請求項８】
外部の通信設備環境を介することなく、携帯端末間の直接無線通信により、端末利用者のプロフィール情報の交換を可能にするプロフィール情報交換システムにおいて、プロフィール情報交換サービスを提供する、第１利用者の第１の携帯端末におけるプロセッサに、独自のサービス識別コードと、前記第１利用者のプロフィール情報に基づくランダム生成の識別コードとの双方を含む信号を広告させ、前記第１利用者のプロフィール情報に基づく前記ランダム生成の識別コードに対応する二次元コードを前記第１の携帯端末の画面に表示させ；
前記プロフィール情報交換システムにおいて、前記プロフィール情報交換サービスを利用する、第２利用者の第２の携帯端末におけるプロセッサに、前記第１の携帯端末において画面表示された二次元コードを読み取らせ、受信した前記ランダム生成の識別コードとの一致を判定させることにより、交換相手の前記第１の携帯端末を特定させ、前記第２利用者のプロフィール情報と前記第１利用者のプロフィール情報とを交換させる；
プロフィール情報交換プログラム。
【請求項９】
前記独自のサービス識別コードは、前記プロフィール情報交換サービスを特定するための予め定められた文字を部分的に含む、
請求項８記載のプロフィール情報交換プログラム。
【請求項１０】
前記ランダム生成の識別コードは、前記プロフィール情報の文字列だけに対応するように乱数生成される、
請求項８または９記載のプロフィール情報交換プログラム。
【請求項１１】
前記第１利用者のプロフィール情報及び前記第２利用者のプロフィール情報は、仕事用及びプライベート用に予め作成され、前記第１の携帯端末及び前記第２の携帯端末のアドレス帳にそれぞれ予め登録されている、
請求項８，９または１０記載のプロフィール情報交換プログラム。
【請求項１２】
前記プロフィール情報に画像データが含まれているときは、この画像データを圧縮処理して送信させる、
請求項８，９，１０または１１載のプロフィール情報交換プログラム。
【請求項１３】
前記直接無線通信は、ＢＬＥ通信を含む近距離無線通信である、
請求項８，９，１０，１１または１２記載のプロフィール情報交換プログラム。
【請求項１４】
前記直接無線通信がＢＬＥ通信であるとき、
前記第１の携帯端末は、ペリフェラルとして振る舞い、プロフィール情報交換サービスを提供し、
前記第２の携帯端末は、セントラルとして振る舞い、前記プロフィール情報交換サービスを利用し、
前記信号は、前記独自のサービス識別コード及び前記ランダム生成の識別コードを含むアドバタイジング信号であり、
前記独自のサービス識別コード及び前記ランダム生成の識別コードは、普遍的固有識別コード（ＵＵＩＤ）である、
請求項８，９，１０，１１，１２または１３記載のプロフィール情報交換プログラム。